(57)【要約】【課題】異物が存在する場合や土壌硬度が高い場合であっても筒状（管状）の部材を所定深度まで良好に押し込むことができ、所定深度の土壌を確実に採取することが可能な採土器を提供することを目的とする。【解決手段】本発明にかかる採土器１００の構成は、円筒形の筒１１０と、筒１１０の下端に設けられた複数の刃１１２と、を備え、複数の刃１１２の間に平坦部１１４があることを特徴とする。また本発明にかかる採土器１００の構成は、円筒形の筒１１０と、筒１１０の上端に設けられたハンドル取付穴１１６と、ハンドル取付穴１１６に着脱可能に取り付けられるハンドル１２０と、筒１１０の上端に取付可能なガイドピース１３０と、ガイドピース１３０の穴１３０ａに挿入されるガイドロッド１４０と、ガイドロッド１４０に沿って上下動可能な円筒形の打ち込みウエイト１５０と、を備えたことを特徴とする。【選択図】図１
2020159002.tif 000002
【特許請求の範囲】
【請求項１】
円筒形の筒と、
前記筒の下端に設けられた複数の刃と、
を備え、
前記複数の刃の間に平坦部があることを特徴とする採土器。
【請求項２】
円筒形の筒と、
前記筒の上端に設けられたハンドル取付穴と、
前記ハンドル取付穴に着脱可能に取り付けられるハンドルと、
前記筒の上端に取付可能なガイドピースと、
前記ガイドピースの穴に挿入されるガイドロッドと、
前記ガイドロッドに沿って上下動可能な円筒形の打ち込みウエイトと、
を備えたことを特徴とする採土器。
【発明の詳細な説明】
【技術分野】
【０００１】
本発明は、土壌を採取する採土器に関する。
【背景技術】
【０００２】
土壌の放射線汚染の程度を把握するためには、土壌を採取する必要がある。一般に、放射性物質は土壌表面から浸透し土壌深度が大きくなるにつれて濃度が低くなる傾向にある。これは、大気に拡散した放射性物質が降雨などにより土壌に落下し土壌表面部から土壌に吸着していったためと考えられる。このため放射能濃度測定用の土壌試料は深度ごとに、あるいは深度指定により採取されることが多い。
【０００３】
土壌は少なからず表面が凸凹していることから採取面積が大きいと採取範囲内で深度方向に少なからずバラツキが生じ深度精度を下げることになる。このため、採取土壌の深度精度を上げるべく、土壌を採取する器具の多くは開口面積の小さい管状となっている。
【０００４】
土壌を採取する機器としては、例えば特許文献１に土壌採取器が開示されている。特許文献１の土壌採取器は、円筒形状の一端に鋸刃形状の掘削刃を有する筒部と、筒部に回転力を伝達する伝動部とを備える。特許文献１の土壌採土器では、掘削刃を先頭に筒部を回転させながら土壌内へ押し込むと共に筒部の内部に土壌を収納している。
【先行技術文献】
【非特許文献】
【０００５】
【特許文献１】特開２００２−２８６５９３号公報
【発明の概要】
【発明が解決しようとする課題】
【０００６】
特許文献１の土壌採取器のように、円筒形状の一端に鋸刃形状の掘削刃があるとはいえ、採取面と接する部分がほぼ全体的に環状平面となる。このため、土中に小石などの異物が存在している場合、異物を切断するような作用となる。しかしながら石を切断することは容易なことではなく、土壌採取器を所定深度まで到達させることが困難なことがある。また土壌硬度がそれほどまで高くない場合であっても、作業者が体重をかけてハンドルを回しながら管状の器具をねじ込むことは相当の重労働である。
【０００７】
加えて、土壌硬度が高い場合、ハンドルを回しながら押し込むことが困難であるため、ハンドルをハンマによって打撃しながら土壌採取器を土壌に叩き込むことがある。しかしながら、ハンマをふるってハンドルの頂点を叩く場合、ハンマの頭がハンドルから外れてしまいやすく、安定して打撃することが難しい。まっすぐ打てないことによってハンドルを曲げてしまうおそれもある。
【０００８】
本発明は、このような課題に鑑み、異物が存在する場合や土壌硬度が高い場合であっても筒状（管状）の部材を所定深度まで良好に押し込むことができ、所定深度の土壌を確実に採取することが可能な採土器を提供することを目的としている。
【課題を解決するための手段】
【０００９】
上記課題を解決するために、本発明にかかる採土器の代表的な構成は、円筒形の筒と、筒の下端に設けられた複数の刃と、を備え、複数の刃の間に平坦部があることを特徴とする。
【００１０】
上記構成によれば、筒の複数の刃の間に平坦部が設けられていることにより、隣接する２つの刃の間が広く開いた状態となる。これにより、小石等の異物が土壌中に存在している場合であっても、異物から外れた箇所に刃を食い込ませることができる。そして、その状態で筒を回転させることにより、刃によって異物を横から押し、筒の軌道上から異物を除去することができる。すなわち、異物を鋸刃で切断するのではなく、押しのけるのである。したがって、土壌中に異物が存在する場合であっても、筒を所定深度まで良好に押し込むことができ、所定深度の土壌を確実に採取することが可能となる。
【００１１】
上記課題を解決するために、本発明にかかる採土器の他の構成は、円筒形の筒と、筒の上端に設けられたハンドル取付穴と、ハンドル取付穴に着脱可能に取り付けられるハンドルと、筒の上端に取付可能なガイドピースと、ガイドピースの穴に挿入されるガイドロッドと、ガイドロッドに沿って上下動可能な円筒形の打ち込みウエイトと、を備えたことを特徴とする。
【００１２】
かかる構成によれば、土壌硬度が高く、ハンドルの回転によって筒を土壌に押し込むことが困難になった際に、打ち込みウエイトによってガイドピースひいては筒を打撃することができる。これにより、土壌硬度が高い場合であっても筒を所定深度まで良好に押し込むことができ、所定深度の土壌を確実に採取することが可能となる。このとき、打ち込みウエイトは、ガイドロッドによって案内されながら上下動するため、ガイドピースひいては筒から外れることがなく、安定的に打撃することができる。
【発明の効果】
【００１３】
本発明によれば、異物が存在する場合や土壌硬度が高い場合であっても筒状（管状）の部材を所定深度まで良好に押し込むことができ、所定深度の土壌を確実に採取することが可能な採土器を提供することができる。
【図面の簡単な説明】
【００１４】
【図１】本実施形態にかかる採土器を説明する図である。
【図２】筒の詳細を説明する図である。
【図３】本実施形態の採土器の使用態様図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
図１は、本実施形態にかかる採土器１００を説明する図である。図１に示すように、本実施形態の採土器１００は、円筒形の筒１１０を有し、かかる筒１１０の下端には複数の刃１１２が設けられている。
【００１７】
図２は、筒１１０の詳細を説明する図である。図２（ａ）は、筒１１０の下端の拡大図であり、図２（ｂ）および（ｃ）は、土壌中に配置された筒１１０を上方から観察した模式図である。
【００１８】
図１および図２（ａ）に示すように、本実施形態の採土器１００では、筒１１０の下端に形成された複数の刃１１２の間に平坦部１１４が形成されている。本実施形態では、筒１１０が３つの刃１１２を備える構成を例示したが、本発明は刃１１２の枚数については限定するものではなく、２枚〜４枚程度が望ましい。刃と刃の間になるべく大きく隙間を空けるために、刃１１２は少なめが好ましい。また複数の刃１１２は、筒１１０の周上に等間隔に配置されていることが望ましい。筒１１０を回転させて掘削する際に均等に進行させるためである。
【００１９】
なお、本実施形態では、刃１１２が筒１１０の下端に形成される構成（筒１１０と刃１１２が一体となっている構成）を例示したが、これに限定するものではない。筒１１０と刃１１２を別体とし、筒１１０の下端に刃１１２を固定する構成とすることも可能である。
【００２０】
上記構成によれば、刃と刃の間に平坦部１１４があることによって、隣接する２つの刃１１２の間が広く開いた状態となる。これにより、図２（ｂ）に示すように、小石等の異物１０が土壌中に存在している場合であっても、異物１０から外れた箇所に刃１１２を食い込ませることができる。
【００２１】
そして、図２（ｂ）に示す状態から筒１１０を回転させると、図２（ｃ）に示すように、刃１１２によって異物１０が横から押し出され、異物１０が筒１１０の軌道上から除去される。すなわち、異物を鋸刃で切断するのではなく、押しのけるのである。したがって、土壌中に異物１０が存在する場合であっても、筒１１０を所定深度まで良好に押し込むことができ、所定深度の土壌を確実に採取することが可能となる。
【００２２】
特に本実施形態の採土器１００のように複数の刃１１２の間に平坦部１１４を設けることにより、筒１１０を押し込む際の力は刃１１２に集約される。これにより、採取面と接する部分が環状平面となっている従来の採土器に比して、土壌への筒１１０の押し込みが容易となり、作業効率の向上を図ることが可能となる。
【００２３】
再度、図１を参照する。図１に示すように、本実施形態の採土器は、ハンドル１２０、ガイドピース１３０、ガイドロッド１４０および打ち込みウエイト１５０を更に有する。筒１１０の上端にはハンドル取付穴１１６が形成されていて、ハンドル１２０は、このハンドル取付穴１１６に着脱可能に取り付けられる。このように、採土器１００がハンドル１２０を備えることにより、上述した筒１１０を回転させる作業を効率的に行うことが可能となる。
【００２４】
ガイドピース１３０は、筒１１０の上端に取付可能な部材であり、中央にガイドロッド１４０を立てるための穴１３０ａが形成されている。ガイドピース１３０は、ガイドスリーブ１３２およびガイドプレート１３４から構成される。なお、本実施形態では、ガイドスリーブ１３２およびガイドプレート１３４が一体となっている構成を例示したが、これに限定するものではなく、ガイドスリーブ１３２およびガイドプレート１３４を別体とし、それらを接続した構成とすることも可能である。
【００２５】
ガイドロッド１４０は、ガイドピース１３０の穴１３０ａに挿入される部材である。ガイドロッド１４０は筒１１０と同軸になり、上下方向にまっすぐ立てられる。打ち込みウエイト１５０は、ガイドロッド１４０が挿通される穴１５０ａを有する円筒形状の重りであり、かかるガイドロッド１４０に沿って上下動可能である。
【００２６】
ガイドピース１３０は、ガイドスリーブ１３２の外径が筒１１０の内径よりも小さく、ガイドプレート１３４の外径が筒１１０の外径よりも大きく、穴１３０ａの径はガイドロッド１４０より大きい。ガイドロッド１４０は、外径が穴１３０ａの径よりも小さく、長さは筒１１０よりも長い。打ち込みウエイト１５０は、外径がガイドプレート１３４の外径よりも小さく、穴１５０ａの径はガイドロッド１４０の外径よりも大きい。
【００２７】
図３は、本実施形態の採土器１００の使用態様図である。採土器１００によって土壌１２の採取を行う際には、先に述べたように筒１１０に取り付けたハンドル１２０を回転させながら筒１１０を土壌１２に押し込む。そして、土壌硬度が高い等の状況により筒１１０を土壌１２に更に押し込むことが困難となったら、打ち込みウエイト１５０による打撃を行う。
【００２８】
打ち込みウエイト１５０による打撃を行う際には、まず図３（ａ）に示すように、下端部が土壌１２に押し込まれた筒１１０からハンドル１２０を外す。そして、筒１１０の上端にガイドピース１３０を取り付け、穴１３０ａ（図１参照）にガイドロッド１４０を挿入する。これにより、採土器１００は図３（ｂ）に示す状態となる。
【００２９】
次に、図３（ｃ）に示すように、打ち込みウエイト１５０の穴１５０ａ（図１参照）にガイドロッド１４０を挿通する。そして、打ち込みウエイト１５０をガイドロッド１４０の上端近傍まで持ち上げて落下させる作業を繰り返す。これにより、打ち込みウエイト１５０によってガイドピース１３０ひいては筒１１０が打撃され、筒１１０は、図３（ａ）に示す状態から、図３（ｃ）に示すように土壌１２の内部に更に押し込まれる。
【００３０】
上記説明したように、本実施形態の採土器１００では、打ち込みウエイト１５０によってガイドピース１３０ひいては筒１１０を打撃することにより、土壌硬度が高い場合であっても筒１１０を所定深度まで良好に押し込むことができる。したがって、所定深度の土壌を確実に採取することが可能となる。
【００３１】
このとき、本実施形態の採土器１００では、ハンマー等によってハンドル１２０を打撃するのではなく、ガイドロッド１４０によって案内される打ち込みウエイト１５０によってガイドピース１３０ひいては筒１１０を打撃する。この構造なら打ち込みウエイト１５０がガイドピース１３０から外れることはなく、ハンドル１２０が損傷することもあり得ず、筒１１０を安定的に打撃することが可能となる。
【００３２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３３】
本発明は、土壌を採取する採土器として利用することができる。
【符号の説明】
【００３４】
１０…異物、１２…土壌、１００…採土器、１１０…筒、１１２…刃、１１４…平坦部、１１６…ハンドル取付穴、１２０…ハンドル、１３０…ガイドピース、１３０ａ…穴、１３２…ガイドスリーブ、１３４…ガイドプレート、１４０…ガイドロッド、１５０…打ち込みウエイト、１５０ａ…穴
【図１】
2020159002.tif 000003
【図２】
2020159002.tif 000004
【図３】
2020159002.tif 000005